(57)【要約】【課題】室内インテリアとのマッチング性が高い大小二つの能力を持つ床置型空気調和機を安価に提供可能とする。【解決手段】熱交換機能及び送風機能を備えた筐体２と、筐体の前面を覆う前面パネル６との間に前面パネルを前方側に移動させるパネル駆動手段１２の設置スペースを設けて必要に応じパネル駆動手段１２を設置可能な構成としている。これにより、パネル駆動手段の設置有無によって大能力の床置型空気調和機あるいは小能力の床置型空気調和機とすることができ、しかも前面パネルを吸込口無し、若しくは線状に細長い吸込口を設けただけの前面パネルとすることによってフラットでシンプルなものとすることができ、室内インテリアとのマッチング性の高いものとすることができる。【選択図】図１１
2019066150.tif 000002
【特許請求の範囲】
【請求項１】
熱交換機能及び送風機能を備えた筐体と、筐体の前面を覆う前面パネルとを備え、前記筐体はその側面に空気吸込み用の常開型の開口を設けるとともに、前記前面パネルは吸込口無し、若しくは線状に細長い吸込口を設けただけの前面パネルとし、かつ、前記前面パネルと筐体との間には前記前面パネルを前方側に移動させるパネル駆動手段の設置スペースを設けて必要に応じパネル駆動手段を設置可能な構成とした床置型空気調和機。
【発明の詳細な説明】
【技術分野】
【０００１】
本発明は床置型空気調和機に関する。
【背景技術】
【０００２】
一般に家庭で使用される床置型空気調和機は、筐体の前面パネルに吸込口、筐体上部に吹出口が設けられており、筐体前方から吸い込んだ室内空気を冷風または温風に変換して筐体上部から吹き出すようになっている（例えば、特許文献１参照）。
【０００３】
図２３は特許文献１に記載されている床置型空気調和機を示し、この床置型空気調和機は筐体１０１の前面パネル１０２に吸込口１０３、筐体１０１の上面部に吹出口１０４が設けてあり、筐体前面の吸込口１０３より室内空気を吸引して冷風もしくは温風に変換し、筐体１０１上部の吹出口１０４より吹出して室内空調を行うようになっている。
【０００４】
しかしながら、上記従来の床置型空気調和機は前面パネル１０２に吸込口１０３を設けているためこの吸込口１０３のグリル１０５が目立ち、室内インテリアとのマッチング性が悪くなるものであった。
【０００５】
そこで出願人は、前面パネルは、吸込口無し、若しくは線状に細長い吸込口を設けただけの前面パネルとするとともに、筐体の側面部に開口を設けて、筐体の側面から空気を吸い込む構成とすることを試みている。
【先行技術文献】
【特許文献】
【０００６】
【特許文献１】特開２０１４−１４５５４２号公報
【発明の概要】
【発明が解決しようとする課題】
【０００７】
上記のように構成した床置型空気調和機は、その前面がフラットでシンプルなものとなるので、室内インテリアとのマッチング性が高いものとすることができる。
【０００８】
しかしながら、筐体の側面部に設ける開口は前面パネルに設けた従来の吸込口ほど大きな面積を確保することができない。したがって、空調能力に限界があり、大能力の床置型空気調和機を提供することが困難であった。
【０００９】
ところが、このような状況下であっても、室内インテリアとのマッチング性が高い大能力の床置型空気調和機を要望する地域がある。
【００１０】
そこで出願人は更に検討を進め、前面パネルを筐体の前方側に移動可能として、運転時には筐体前面部と前面パネルとの間に生じる隙間から空気を吸込む構成とすることを試みている。
【００１１】
これにより、前面パネルに吸込口がない、もしくは吸込口が線状で細長く十分な面積がなく、かつ、筐体側面に設けた開口の面積も十分でないものであっても、前面パネルと筐体前面部との間に形成される吸込み間隙から十分な空気を吸い込むことができ、大能力の床置型空気調和機の提供が可能となる。
【００１２】
本発明はこのような出願人の検討結果を集約してなしたもので、室内インテリアとのマ
ッチング性が高い大小二つの能力を持つ床置型空気調和機を安価に提供可能とすることを目的としたものである。
【課題を解決するための手段】
【００１３】
本発明は、前記目的を達成するために、熱交換機能及び送風機能を備えた筐体と、筐体の前面を覆う前面パネルとを備え、前記筐体はその側面に空気吸込み用の常開型の空気吸込み用開口を設けるとともに、前記前面パネルは吸込口無し、若しくは線状に細長い吸込口を設けただけの前面パネルとし、かつ、前記前面パネルと筐体との間には前記前面パネルを前方側に移動させるパネル駆動手段の設置スペースを設けて必要に応じパネル駆動手段を設置可能な構成としてある。
【００１４】
これにより、前面パネルと筐体との間にパネル駆動手段を設置すれば大能力の床置型空気調和機とすることができ、パネル駆動手段を設置しなければ小能力の床置型空気調和機とすることができる。つまり、熱交換機能及び送風機能を備えた筐体と前面パネルを共用化して外観意匠を変更することなく二つのタイプの床置型空気調和機を提供することができる。よって、小能力の床置型空気調和機と大能力の床置型空気調和機を安価に提供することができる。そして、各床置型空気調和機の前面はフラットでシンプルなものとすることができるので、室内インテリアとのマッチング性の高い床置型空気調和機とすることができる。
【発明の効果】
【００１５】
本発明は、上記した構成によって、室内インテリアとのマッチング性の高い大小二つのタイプの床置型空気調和機を安価に提供することができる。
【図面の簡単な説明】
【００１６】
【図１】本発明の実施の形態１に係る床置型空気調和機の正面図
【図２】同実施の形態１に係る床置型空気調和機の側面図
【図３】同実施の形態１に係る床置型空気調和機の断面図
【図４】同実施の形態１に係る床置型空気調和機の斜視図
【図５】同実施の形態１に係る床置型空気調和機の筐体と前面パネルを分解して示す斜視図
【図６】同実施の形態１に係る床置型空気調和機の前面パネルを取り外した状態を示す斜視図
【図７】同実施の形態１に係る床置型空気調和機を大能力タイプとしたときの側面図
【図８】同実施の形態１に係る床置型空気調和機を大能力タイプとしたときの筐体、前面パネル、パネル駆動手段を分解して示す斜視図
【図９】（ａ）（ｂ）（ｃ）（ｄ）（ｅ）同実施の形態１に係る床置型空気調和機を大能力タイプとしたときの筐体、前面パネルとパネル駆動手段との要部の係合状態を示す説明図
【図１０】同実施の形態１に係る床置型空気調和機を大能力タイプとしたときの前面パネルを取り外した状態を示す斜視図
【図１１】本発明の実施の形態１に係る床置型空気調和機を大能力タイプとしたときの断面図
【図１２】同実施の形態１に係る床置型空気調和機を小能力タイプとしたときの空気の吸込みと吹出しを示す斜視図
【図１３】同実施の形態１に係る床置型空気調和機を小能力タイプとしたときの空気の吸込みと吹出しを示す側面図
【図１４】同実施の形態１に係る床置型空気調和機を大能力タイプとしたときの空気の吸込みと吹出しを示す斜視図
【図１５】同実施の形態１に係る床置型空気調和機を大能力タイプとしたときの空気の吸込みと吹出しを示す側面図
【図１６】同実施の形態１に係る床置型空気調和機を大能力タイプとしたときの空気の吹出しを示す拡大断面図
【図１７】同実施の形態１に係る床置型空気調和機のパネル駆動手段を示す斜視図
【図１８】本発明の実施の形態１に係る床置型空気調和機のパネル駆動手段の駆動部部分の内部を示す斜視図
【図１９】（ａ）同実施の形態１に係る床置型空気調和機のパネル閉方向移動時のパネル駆動手段を示す斜視図、（ｂ）同パネル閉方向移動時のパネル駆動手段の要部を示す拡大斜視図
【図２０】同実施の形態１に係る床置型空気調和機の制御ブロック図
【図２１】同実施の形態１に係る床置型空気調和機の制御フロー図
【図２２】同実施の形態１に係る床置型空気調和機の吹出ルーバの制御フロー図
【図２３】従来の床置型空気調和機を示す斜視図
【発明を実施するための形態】
【００１７】
本発明の一態様による空気調和機は、熱交換機能及び送風機能を備えた筐体と、筐体の前面を覆う前面パネルとを備え、前記筐体はその側面に空気吸込み用の常開型の空気吸込み用開口を設けるとともに、前記前面パネルは吸込口無し、若しくは線状に細長い吸込口を設けただけの前面パネルとし、かつ、前記前面パネルと筐体との間には前記前面パネルを前方側に移動させるパネル駆動手段の設置スペースを設けて必要に応じパネル駆動手段を設置可能な構成としてある。
【００１８】
これにより、前面パネルと筐体との間にパネル駆動手段を設置すれば大能力の床置型空気調和機とすることができ、パネル駆動手段を設置しなければ小能力の床置型空気調和機とすることができる。つまり、熱交換機能及び送風機能を備えた筐体と前面パネルを共用化して外観意匠を変更することなく二つのタイプの床置型空気調和機を提供することができる。よって、小能力の床置型空気調和機と大能力の床置型空気調和機を安価に提供することができる。そして、各床置型空気調和機の前面はフラットでシンプルなものとすることができるので、室内インテリアとのマッチング性の高い床置型空気調和機とすることができる。
【００１９】
以下、本発明の実施の形態について、添付の図面を参照しながら説明する。なお、この実施の形態によって本発明が限定されるものではない。
【００２０】
（実施の形態１）
図１は本発明の実施の形態１に係る床置型空気調和機の正面図、図２は同床置型空気調和機の側面図、図３は同床置型空気調和機の断面図、図４は同床置型空気調和機の斜視図、図５は同床置型空気調和機の筐体と前面パネルを分解して示す斜視図、図６は同床置型空気調和機の前面パネルを取り外した状態を示す斜視図である。
【００２１】
図１〜図６において、本実施の形態の床置型空気調和機１は、その筐体２内に熱交換器３と送風機４を収容している。この床置型空気調和機１は冷媒を圧縮機で圧縮しその冷媒の蒸発あるいは凝縮を利用して冷房あるいは暖房を行う。そして、上記床置型空気調和機１の筐体２は室内機として用いられ、室外機（図示せず）に接続して使用される。なお、この筐体２は室外機機能をも有する形態としてもよいものである。
【００２２】
筐体２は図２に示すように背面枠部２ａと前面枠部２ｂからなり、前面枠部２ｂの前面にはフィルター５（図６参照）が着脱自在に設けてある。そして、このフィルター５の前方を覆う如く前記筐体２の前面に前面パネル６が着脱自在に設けてある。
【００２３】
また、筐体２の内部には、図３に示すように、前記フィルター５と対向する部分に前記した熱交換器３が組み込んであり、その下流側に前記した送風機４が設けてある。
【００２４】
熱交換器３は、例えばフィンチューブ式の熱交換器で構成してあり、冷房運転時には蒸発器として作用し、暖房運転時には凝縮器として作用する。そして、室外機から流入する冷媒と筐体内に吸い込んだ室内空気との間で熱交換を行い室内の冷房もしくは暖房を行なう。
【００２５】
また、送風機４は、例えば軸流ファンで構成してあり、そのファンケーシング４ａの下流側にディフューザ７が設けてある。このディフューザ７は、熱交換後の冷風もしくは温風を筐体２の前方コーナ部に設けた吹出口８に案内する風路９を形成している。そして、上記熱交換器３で熱交換した後の冷風もしくは温風を吹出口８より室内に吹出し、室内の冷房若しくは暖房を行う。
【００２６】
ここで本実施の形態の床置型空気調和機は、上記筐体２前面の前面パネル６を、下部に線状に細長い吸込口１０を設けただけのフラット板で構成してある。上記吸込口１０はグリル等のない例えば上下１ｃｍ程度の幅の開口としてあり、主にデザイン的な意味合いを持たせている。なお、このような吸込口１０を設けることなく単なるフラット板としていてもよいものである。
【００２７】
そしてこの床置型空気調和機１は、図２に示すように、前記筐体２の側面に切り欠きを設けて空気吸込み用開口１１が形成してある。この空気吸込み用開口１１は前面枠部２ｂの一部を切り欠いて形成してあり、前面パネル６との間で常に開口した状態となっている。
【００２８】
以上のように本実施の形態の床置型空気調和機はその基本的な部分が構成されているが、この床置型空気調和機は更に次のような構成を加えて、大小二つの能力を持つ床置型空気調和機とすることができるようになっている。
【００２９】
以下、図７〜図１１を用いて説明する。
【００３０】
図７は大能力タイプとしたときの床置型空気調和機の側面図、図８は同床置型空気調和機の筐体、前面パネル、パネル駆動手段を分解して示す斜視図、図９は同床置型空気調和機の筐体、前面パネルとパネル駆動手段との要部の係合状態を示す説明図、図１０は同床置型空気調和機の前面パネルを取り外した状態を示す斜視図、図１１は同床置型空気調和機の断面図である。
【００３１】
図７〜図１１において、前記筐体２の前面と前面パネル６の内面との間には大能力タイプとするときに必要なパネル駆動手段１２を設置することが可能な間隙Ｔが設けてあり、前記筐体２の側面に設けた空気吸込み用開口１１はこの間隙Ｔと繋がっている。そして、上記筐体２両側部の空気吸込み用開口１１の内側にパネル駆動手段１２が取り付けてある。
【００３２】
パネル駆動手段１２は、運転時に前面パネル６を前方に移動させて筐体２との間に空気吸込み用間隙１４を形成するもので、その詳細な構成は後述するが、図９（ｄ）に示すように、ベース部材２４等を筐体２両側のフランジ面２ｃにビス２ｄ止めして筐体２に固定される形となっている。そして、パネル駆動手段１２はそのパネル支持部材２３を前面パネル６の上下部分に着脱自在に係合させる構成となっている。
【００３３】
上記パネル支持部材２３に係合させる前面パネル６は、図８及び図９（ａ）に示すよう
に、その内面上部に前記パネル支持部材２３の上部を係合させる上部係止部６ｂを有するとともに、下部には前記パネル支持部材２３の下部を係合させる係止片６ｃを一体に有する。
【００３４】
そして、前面パネル６は、図８及び図９（ｅ）に示すように、パネル下部の係止片６ｃを前記パネル支持部材２３の下部に設けてある係合片２３ｃに圧入係合させるとともに、図９（ｂ）（ｃ）に示すように、パネル上部の上部係止部６ｂをパネル支持部材２３の上部に設けてある上部係合片２３ｄに係合させてパネル支持部材２３に着脱自在に係合装着してある。
【００３５】
なお、上記前面パネル６は、パネル支持部材２３に係合させない小能力タイプのときにはその下部の係止片６ｃを図８に示す筐体下部の係合穴２ｅに嵌め込み、上部の上部係止部６ｂの一部を筐体上部の突起２ｆに嵌合させて筐体２前面に装着するようになっている。そして、この場合の前面パネル６の係止片６ｃはパネル支持部材２３の係合片２３ｃに圧入する場合と形状が異なるので、この部分のみ金型を取り換えて筐体下部の係合穴２ｅに係合する形となるようにしてあり、パネル全体の金型は共用する形となっている。
【００３６】
以上のように構成された床置型空気調和機について、以下その作用効果を説明する。
【００３７】
本実施の形態の床置型空気調和機は、上記構成の説明から明らかなように、筐体２の前面と前面パネル６の内面との間にパネル駆動手段１２を組み込まず筐体側面に空気吸込み用開口１１を設けただけの構成とすれば、小能力タイプの床置型空気調和機となる。この場合、この床置型空気調和機は、図１２、図１３に示すように、筐体側面の空気吸込み用開口１１から空気を吸い込み、冷風もしくは温風に変換した後、筐体２上部の吹出口８より室内へと吹出し、室内の冷房もしくは暖房を行う。この時、筐体２内に吸い込む空気は筐体側面の空気吸込み用開口１１から、あるいはさらにパネルに設けた吸込口１０とからのみとなって比較的少ないものとなる。よって小能力の床置型空気調和機となる。
【００３８】
一方、前記筐体２の前面と前面パネル６の内面との間にパネル駆動手段１２を組み込むと、大能力タイプの床置型空気調和機となる。この場合、この床置型空気調和機は、図１４、図１５に示すように、筐体側面の空気吸込み用開口１１に加え更に前面パネル６の前方への移動によって形成される空気吸込み用間隙１４からも空気を吸い込むようになる。したがって、多くの空気を吸い込んで冷風もしくは温風に変換した後、筐体２上部の吹出口８より室内へと吹出し、室内の冷房もしくは暖房を行う。つまり、大能力の床置型空気調和機となる。
【００３９】
このように、本実施の形態の床置型空気調和機は、大小二つの能力を持つ床置型空気調和機を提供することができる。しかも、その際、筐体２と前面パネル６を共用して大小二つの能力を持つ床置型空気調和機を提供できるので安価に提供できる。さらに、上記床置型空気調和機の前面パネル６は筐体２の前面部側に位置していてこれを覆った状態となっているので、その外観は図１、図２からも理解できるようにフラットかつシンプルで端正なものとなり、室内インテリアとのマッチング性が高いものとなる。また、大能力タイプの床置型空気調和機とした場合も非運転時は前面パネル６が閉じて図４に示すような外観となるので、小能力タイプの床置型空気調和機と同様、フラットかつシンプルで端正なものとなり、室内インテリアとのマッチング性が高いものとなる。
【００４０】
更に、本実施の形態の床置型空気調和機の効果説明を続ける。
【００４１】
本実施の形態の床置型空気調和機は、大能力タイプとしたときその空調性能が最大限発揮されるようにしてある。
【００４２】
まず、そのための構成を説明する。本実施の形態の床置型空気調和機は、大能力タイプとしたとき、前面パネル６は前方に移動させて筐体２との間の前面パネル６の外周辺（左右上下の四辺）部分に空気吸込み用間隙１４を形成するが、この空気吸込み用間隙１４のうち、前面パネル６の上辺部分に形成される空気吸込み用間隙１４ａは、その吸込み抵抗が他の辺部分に形成される吸込み抵抗より大きくなる構成としてある。この例では図１１に示すように筐体２の上側の空気吸込み用間隙１４ａとなる部分に前方への隆起部１５を設けて間隙を狭くし吸込み抵抗を大きくしてある。
【００４３】
また、前記筐体２内に吸い込んで熱交換した後の温風若しくは冷風の吹出口８は、既述したように筐体２の前方コーナ部に設けてある。上記筐体２の前方コーナ部に設けた吹出口８の下端１６（図１６参照）は、前記前方に移動した前面パネル６の上端縁６ａより上方に位置するように設定してある。さらに、上記吹出口８の下端１６は前面パネル６が移動して形成される空気吸込み用間隙１４ａの間隙端縁１４ｃより前方に位置する構成としてある。
【００４４】
そして、上記吹出口８の上面と前面の開口にはそれぞれルーバ１７、１８が設けてあり、ルーバ駆動手段１９（図２０参照）によって開閉駆動されるようになっている。
【００４５】
上記ルーバ１７、１８のそれぞれは、筐体２の前方コーナ部で角状、この例では直角状に突き合わさる形で設けてあり、図１６の矢印Ｘ、Ｙで示すように回動して吹出口８を開く。そして、上記ルーバ１７、１８のうち、前面のルーバ１８は、前面パネル６と連続的な平面を形成するように配置してある。
【００４６】
また、上記ルーバ１７、１８のうち、吹出口８の上面に設けたルーバ１７は、ルーバ開時その下面が前記ディフューザ７の風路９の内面と同一面状態となるように設定してあり、かつ、先端部内面には上向きの傾斜面１７ａを設けて吹き出し空気の流れを拡大させる構成としてある。
【００４７】
なお、この吹出口８とルーバ１７、１８の構成と動作については小能力タイプの場合も同じである。
【００４８】
次に図１７〜図１９を用いて前記前面パネル６を駆動するパネル駆動手段１２の構造を説明する。
【００４９】
図１７はパネル駆動手段の斜視図、図１８は同パネル駆動手段の駆動部部分の内部を示す斜視図、図１９（ａ）は同パネル開方向移動時のパネル駆動手段を示す斜視図、（ｂ）同パネル移動時のパネル開方向駆動手段の要部を示す拡大斜視図である。
【００５０】
図１７〜図１９において、このパネル駆動手段１２は、パネル駆動源となる駆動部２１と、この駆動部２１によって回転駆動されるアーム２２ａ、２２ｂ、２２ｃ、２２ｄと、上記アーム２２ａ、２２ｂ、２２ｃ、２２ｄと可動自在に連係して当該アーム２２ａ、２２ｂ、２２ｃ、２２ｄの回動により前後方向にスライドするパネル支持部材２３、２３と、前記筐体２に取り付け固定されてパネル支持部材２３、２３を前後方向にスライド自在に保持するベース部材２４、２４とを主要部品として構成してある。
【００５１】
上記パネル支持部材２３、２３は左右二つあり、当該パネル支持部材２３、２３の上下部分にアーム２２ａ、２２ｂ、２２ｃ、２２ｄが可動自在に連係させてある。このパネル支持部材２３、２３と各アーム２２ａ、２２ｂ、２２ｃ、２２ｄとの連係は、パネル支持部材２３、２３の上下部分に縦長の案内溝２３ｂを設け、この案内溝２３ｂに各アーム２
２ａ、２２ｂ、２２ｃ、２２ｄの端部のピン２６を挿入することによって行っている。そして、上記パネル支持部材２３、２３の上下一対のアーム２２ａと２２ｂ、２２ｃと２２ｄとはそれぞれリンク２５、２５によって連結してある。
【００５２】
リンク２５、２５はその略中央部分を筐体側部材となるベース部材２４、２４によって上下動自在に保持され、かつ、パネル支持部材２３、２３はその略中央部分に設けたベース部材嵌合部２３ａを前記ベース部材２４、２４に嵌合して前後方向にスライドする如く保持されている。
【００５３】
そして、上記アーム２２ａ、２２ｂ、２２ｃ、２２ｄのうち一つのアーム２２ａは駆動部２１の駆動軸２１ａに連結してあり、更に上記駆動軸２１ａは出力軸２７を介してその他端を他方のパネル支持部材２３のアーム２２ｃ、２２ｄの一つ２２ｃと連結し、動力を伝達するように構成してある。
【００５４】
これにより、駆動部２１の駆動軸２１ａが回転するとリンク２５、２５が上下動し、これに伴い各アーム２２ａ、２２ｂ、２２ｃ、２２ｄが回動し、左右の各パネル支持部材２３、２３が前後方向にスライドするようになる。
【００５５】
ここで、上記パネル支持部材２３、２３は前面パネル６の上下ほぼ全長にわたる長さとして前面パネル６の両側部にそれぞれ着脱自在に取り付けてある。
【００５６】
また、左右両側部のパネル支持部材２３、２３は連結軸２８によって連結して一体化してある。
【００５７】
また、前記ベース部材２４、２４は筐体２の側面部にビス等によって取り付けてあり、これによってパネル駆動手段１２全体が筐体２の空気吸込み用開口１１部分に設置される形となる。すなわち、パネル駆動手段１２は筐体２の前面部と前面パネル６との間に収納設置された形となる。
【００５８】
なお、駆動部２１は、図１８に示すように電動機２１ｂと、電動機の回転を減速するギヤ２１ｃを備えたギヤボックス２１ｄとを備え、その駆動軸２１ａにアーム２２ａが嵌合連結してある。そして、上記アーム２２ａの他端側部分にリンク２５が連結部２５ａにより連結してある。
【００５９】
また、パネル支持部材２３、２３はベース部材嵌合部２３ａの上下部分にコロ２９が設けてあり、ベース部材２４、２４に対する前後方向のスライドが円滑なものとなるようにしてある。
【００６０】
図２０は上記構成からなる床置型空気調和機の制御ブロック図である。この床置型空気調和機は、送風機４と圧縮機３０を動作させて全体の空調動作を制御する制御部３１と、パネル駆動制御部３２及びルーバ駆動制御部３３を備えている。そして、運転スイッチ３４による運転指示に基づき制御部３１が調和機全体の制御を司るとともに、温度検出部３５からの出力も得てパネル駆動制御部３２及びルーバ駆動制御部３３を介しパネル駆動手段１２とルーバ駆動手段１９を駆動し、前面パネル６とルーバ１７、１８を可動するようになっている。
【００６１】
以上のように構成した床置型空気調和機の動作を説明すると、本実施の形態の床置型空気調和機は、非運転時、図４に示すような外観をなし、前面パネル６は筐体２の前面部を覆った状態となっている。
【００６２】
このような状態で図２１の制御フローに示すように運転スイッチ３４がオンＳ１されると、制御部３１はパネル駆動制御部３２を介して前面パネル６を開駆動Ｓ２し、前面パネル６を前方にスライド移動させる。これにより、前面パネル６の外周辺部と筐体２の前面部との間に空気吸込み用間隙１４が形成される。
【００６３】
次に、制御部３１はルーバ駆動制御部３３を介してルーバ１７、１８を駆動Ｓ３し、吹出口８の二つのルーバ１７、１８を開駆動する。
【００６４】
その後、冷媒を圧縮する圧縮機３０を駆動Ｓ４するとともに送風機４も駆動Ｓ５し、空気吸込み用開口１１と空気吸込み用間隙１４の両方から筐体２内に室内空気を吸い込んで熱交換器３で冷媒と熱交換させ、吹出口８より吹き出して室内を冷房又は暖房する。
【００６５】
上記のように冷房あるいは暖房を開始するが、例えば冷房時、室温が設定温度より高い（Ｓ６のＹ）と、圧縮機３０と送風機４を強Ｓ７、前面パネル６の前方への移動量を大Ｓ８、ルーバ１７、１８の角度も大Ｓ９として、大能力運転Ｓ１０する。そして、室温が設定温度（Ｓ６のＮ）になると、圧縮機と送風機４を弱に切り替えＳ１１、前面パネル６の前方への移動量を小Ｓ１２、ルーバ１７、１８の角度も小Ｓ１３として、小能力運転Ｓ１４する。
【００６６】
そして、上記運転中に運転スイッチ３４がオフされ運転オフ信号がある（Ｓ１５のＹ）と、前面パネル６及びルーバ１７、１８を閉じるＳ１６、Ｓ１７とともに、圧縮機３０と送風機４を停止させＳ１８、Ｓ１９、空調運転を停止する。
【００６７】
なお、前面パネル６を移動させない小能力タイプの床置型空気調和機の場合、その運転は、前記した大能力タイプの床置型空気調和機における図２１の制御フローのうち、Ｓ２，Ｓ８，Ｓ１２，Ｓ１６のステップがないものとなり、その他の動作は同じである。
【００６８】
次に、作用効果を説明する。
【００６９】
本実施の形態の床置型空気調和機は、既述した通り、その外観はフラットかつシンプルで端正なものとなり、室内インテリアとのマッチング性が高いものとなるが、更に、非運転時、前面パネル６は筐体２の前面に接する形で位置しているので調和機としての前後方向の設置寸法は小さなものとなる。よって、調和機前方の空間を広く使用することができる。すなわち、床置型特有の課題であった調和機前方の空間を広くすることができ、使い勝手の良いものとすることができる。
【００７０】
そして、大能力タイプの床置型空気調和機とした場合、運転時には前面パネル６が前方に移動して、前面パネル６の外周辺部分と筐体２の前面との間に空気吸込み用間隙１４を形成し、筐体側面に設けた常開型の空気吸込み用開口１１と上記空気吸込み用間隙１４とから空気を吸い込むようになるが、上記常開型の空気吸込み用開口１１を備えていることによって、前記前面パネル６と筐体２との間に形成される空気吸込み用間隙１４を、筐体側面に設けた常開型の空気吸込み用開口１１の面積を考慮して小さいものとすることができる。これによって、前面パネル６の前方への移動量を少ないものとすることができる。
【００７１】
したがって、運転時においても床置型特有の課題である調和機前方空間の確保、すなわち調和機の前方空間を広く確保することができる。つまり、運転時の空気吸込み性能を確保しつつ、非運転時、運転時とも床置型特有の課題である調和機前方の空間を広くすることができ、使い勝手の良いものとすることができる。
【００７２】
また、前面パネル６と筐体２との間に形成される空気吸込み用間隙１４と常開型の空気
吸込み用開口１１の両方から空気を吸い込むので、トータル的な空気の吸込み抵抗を少ないものとすることができる。よって、その分送風機４の駆動電力を低減することができ、省エネ性を高めることができる。
【００７３】
なお、上記空気吸込み用開口１１は筐体側面に設けてあるので、意匠性に大きな影響を与えるようなことがないとともに、前方から見たときのフラットかつシンプルで端正なイメージを損なうようなこともない。
【００７４】
また、本実施の形態において、前記前面パネル６は、例えば冷房時、室温が設定温度より高くて大能力で運転している時には、前面パネル６の移動量を大きくし、室温が低くて小能力で運転している時には、前面パネル６の移動量を少なくするようにしてある。
【００７５】
したがって、筐体２内への空気の吸込みは運転能力に応じて必要とされる空気の量を過不足なく確保することができる。しかも、前面パネル６の前方への移動量も必要最小限の少ないものとすることができ、運転時における調和機前方空間の確保をより効果的に行うことができる。すなわち、運転時の空気吸込み性能を確保しつつ床置型特有の課題である調和機前方空間を非運転時にはさらに広く確保することができ、使い勝手の良いものとすることができる。
【００７６】
なお、この例では能力切り替えは簡略化のため大小二段切り替えで説明しているが、これに限られるものではない。
【００７７】
また、この床置型空気調和機は、前面パネル６の移動によってパネル上辺部分に形成される空気吸込み用間隙１４ａが筐体上部に設けてある吹出口８と上下に隣接する形となる。その結果、筐体上部に設けてある吹出口８から吹き出す空気の一部が、前面パネル６の上辺に形成される空気吸込み用間隙１４ａより吸いこまれるショートサーキットが生じ、効率が低下することが懸念される。
【００７８】
しかしながら本実施の形態では、前記筐体２の前方コーナ部に設けた吹出口８の下端１６は、前方に移動した前面パネル６の上端縁６ａより上方に位置する構成としてあるので、吹出口８の下端１６と前方に移動した前面パネル６の上端縁６ａとの間に上下方向の段差が形成される。したがって、吹出口８から吹き出した空気が前面パネル６の上辺部分に形成される空気吸込み用間隙１４ａへと巻き込まれてショートサーキットするのを低減もしくは防止することができる。これによりショートサーキットによる効率低下を抑制することができ、効率の高い床置型空気調和機とすることができる。
【００７９】
また、前記吹出口８の下端１６を空気吸込み用間隙１４ａの間隙端縁１４ｃより前方に位置する構成としてある。
【００８０】
これにより、吹出口８からの吹出空気は空気吸込み用間隙１４ａの間隙端縁１４ｃより前方から吹き出すようになり、当該吹出空気が空気吸込み用間隙１４ａへと巻き込まれてショートサーキットする確率をより少なくすることができる。
【００８１】
また、前記前方に移動した前面パネル６の外周辺部分に形成される空気吸込み用間隙１４は、前面パネル６の上辺部分に形成される空気吸込み用間隙１４ａの吸込み抵抗が他の辺部分に形成される吸込み抵抗より大きくなる構成としてある。
【００８２】
これにより、前面パネル６の外周辺部分に形成される空気吸込み用間隙１４から吸い込まれる空気は主に左右両側部と下部の空気吸込み用間隙１４から吸い込まれるような形となる。したがって、前面パネル６上辺部分の空気吸込み用間隙１４ａから吸い込まれる空
気の吸込み流速は遅いものとなり、吹出口８からの吹出し空気を巻き込む確率を更に少ないものとすることができる。
【００８３】
また、この床置型空気調和機は、上記筐体２の吹出口８にはその上面と前面にそれぞれルーバ１７、１８を設け、上記ルーバ１７、１８のそれぞれは筐体２の前方コーナ部で角状に突き合わせるとともに、前面パネル６は上記前面のルーバ１７と連続的な平面を形成するフラット板としてある。
【００８４】
これにより、吹出口８の上面と前面に設けた二枚のルーバ１７、１８によって吹出空気の吹出方向を確実に変更することができる。しかも、前記両ルーバ１７、１８の前側部分が角状に突き合わさっていて前面パネル６が前面のルーバ１８と連続する平面となるので、調和機前面は前面パネル６のフラット感を生かして調和機前面全体をよりフラットで角を持つ端正なイメージとすることができ、室内インテリアによりマッチする意匠とすることができる。
【００８５】
また、前記吹出口８の上面と前面に設けたルーバ１７、１８はルーバ駆動手段１９（図２０参照）によって駆動するが、ルーバ１７、１８を開くときにはまず上面のルーバ１７を開駆動し、その後前面のルーバ１８を開駆動する構成としてある。
【００８６】
図２２は上記ルーバ駆動手段１９によるルーバ１７、１８の駆動を示し、制御部３１よりルーバ開信号がある（Ｓ２１のＹ）と、上面のルーバ１７を開駆動Ｓ２２する。そして、その後所定時間が経過、例えば１〜２秒経過する（Ｓ２３のＹ）と前面のルーバ１８を開駆動Ｓ２４する。
【００８７】
このように吹出口８の上面と前面に設けたルーバ１７、１８は上面のルーバ１７を開駆動した後前面のルーバ１８を開駆動するので、各ルーバを同時に開駆動する場合に生じる動作干渉による作動不良を防止することができる。したがって、吹出口８の前方コーナ部を角状として前面パネル６と連続する端正な外観とした意匠性の高い床置型空気調和機としていてもルーバ１７、１８の開動作をスムーズなものとすることができる。
【００８８】
逆に、ルーバ１７、１８を閉じる時、すなわちルーバ閉信号がある（Ｓ２５のＹ）と、まず前面のルーバ１８を閉駆動Ｓ２６する。そして、その後所定時間が経過、この場合は１秒から２秒程度経過する（Ｓ２７のＹ）と上面のルーバ１７を閉駆動Ｓ２８する。
【００８９】
これにより、各ルーバを同時に閉駆動する場合に生じる動作干渉による作動不良を防止して、ルーバ１７、１８を開くときと同様、スムーズにルーバ１７、１８を閉じることができる。
【００９０】
また、上記吹出口８の上面に設けたルーバ１７は、ルーバ開時その下面が筐体２内の風路９と同一面上となるディフューザ形状とし、かつ、先端部は上向き傾斜面１７ａとして吹き出し空気の流れを拡大させる構成としてある。
【００９１】
これにより、風向変更度合いを更に大きなものとすることができ、低位置に設置される床置型空気調和機であってもより快適な空調を実現することができる。
【００９２】
一方、本実施の形態の床置型空気調和機は、床置型空気調和機であるがゆえにその前面パネル６が壁掛け式空気調和機の前面パネルに比べると大きくて重いものとなっている。したがって、上記前面パネル６の前方への円滑なスライド移動は困難なものとなる。
【００９３】
しかしながら本実施の形態のパネル駆動手段１２は、駆動部２１によって前後方向にス
ライドさせるパネル支持部材２３、２３を前面パネル６の上下ほぼ全長にわたる長さとしてある。
【００９４】
したがって、前面パネル６はその上下両端部分までがパネル支持部材２３、２３によって保持され駆動される形となるので、大きくて重いパネルであっても電動機２１ｂによる駆動時にがたつくことなく円滑にスライド移動させることができる。
【００９５】
また、上記パネル支持部材２３、２３を前後方向にスライドさせるアーム２２ａ、２２ｂ、２２ｃ、２２ｄは、前記各パネル支持部材２３、２３の上下両部分にそれぞれ配置して可動自在に連係させ、かつ、上記各パネル支持部材２３、２３を駆動する上下のアーム２２ａと２２ｂ、２２ｃと２２ｄはリンク２５、２５によって連結してある。
【００９６】
したがって、上記上下のアーム２２ａと２２ｂ、２２ｃと２２ｄはリンク２５、２５による連結により同期して前後に移動するようになる。これによって、前面パネル６の左右両側部に取り付けたパネル支持部材２３、２３は安定して前後に動き、前面パネル６を円滑かつ安定した状態で前後方向に駆動することができる。
【００９７】
更に、上記左右両側部のパネル支持部材２３、２３は連結軸２８によって連結してある。
【００９８】
したがって、前面パネル６は幅広くてもその左右端部の面が前後逆方向に傾くようなことなく駆動されることになり、より円滑かつ安定した動作を行うようになる。
【００９９】
また、前記駆動部２１は各アーム２２ａ、２２ｂ、２２ｃ、２２ｄのいずれか一つ、すなわち左右いずれか一方のパネル支持部材２３を駆動するアーム２２ａに設け、このアーム２２ａと他方のパネル支持部材２３を駆動する他方のアーム２２ｃとは出力軸２７で連係させてある。
【０１００】
したがって、左右のアーム２２ａと２２ｂ、２２ｃと２２ｄによるパネル支持部材２３、２３の駆動を一つの駆動部２１で行うことができ、しかもその駆動は同期させることができ、前面パネル６の駆動を円滑なものとすることができる。しかも安価に提供することができる。
【０１０１】
以上説明したように本実施の形態の床置型空気調和機は、熱交換機能及び送風機能を備えた筐体２と、筐体２の前面を覆う前面パネル６との間には前面パネル６を前方側に移動させるパネル駆動手段１２の設置スペースを設けて必要に応じパネル駆動手段１２を設置可能な構成としているので、パネル駆動手段１２の設置有無によって大能力の床置型空気調和機あるいは小能力の床置型空気調和機とすることができる。つまり、熱交換機能及び送風機能を備えた筐体２と前面パネル６を共用化して外観意匠を変更することなく二つのタイプの床置型空気調和機を提供することができる。
【０１０２】
以上、本発明に係る空気調和機について、上記実施の形態を用いて説明してきたが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【０１０３】
本発明は、上記実施の形態の説明から明らかなように、室内インテリアとのマッチング性の高い大小二つのタイプの床置型空気調和機を安価に提供することができる。よって商
業施設や一般家庭等で使用される床置型の空気調和機として有用である。
【符号の説明】
【０１０４】
１  床置型空気調和機
２  筐体
２ｃ  フランジ面
２ｄ  ビス
２ｅ  係合穴
２ｆ  突起
３  熱交換器（熱交換機能）
４  送風機（送風機能）
６  前面パネル
６ｂ  上部係止部
６ｃ  係止片
１２  パネル駆動手段
１４、１４ａ  空気吸込み用間隙
１７、１８  ルーバ
１９  ルーバ駆動手段
２１  駆動部
２２ａ、２２ｂ、２２ｃ、２２ｄ  アーム
２３  パネル支持部材
２３ａ  ベース部材嵌合部
２３ｃ  係合片
２３ｄ  上部係合片
２４  ベース部材
２５  リンク
３１  制御部
３２  パネル駆動制御部
３３  ルーバ駆動制御部
Ｔ  間隙
【図１】
2019066150.tif 000003
【図２】
2019066150.tif 000004
【図３】
2019066150.tif 000005
【図４】
2019066150.tif 000006
【図５】
2019066150.tif 000007
【図６】
2019066150.tif 000008
【図７】
2019066150.tif 000009
【図８】
2019066150.tif 000010
【図９】
2019066150.tif 000011
【図１０】
2019066150.tif 000012
【図１１】
2019066150.tif 000013
【図１２】
2019066150.tif 000014
【図１３】
2019066150.tif 000015
【図１４】
2019066150.tif 000016
【図１５】
2019066150.tif 000017
【図１６】
2019066150.tif 000018
【図１７】
2019066150.tif 000019
【図１８】
2019066150.tif 000020
【図１９】
2019066150.tif 000021
【図２０】
2019066150.tif 000022
【図２１】
2019066150.tif 000023
【図２２】
2019066150.tif 000024
【図２３】
2019066150.tif 000025